(57)【要約】【課題】掃除に手間がかからず、吸込開口を直接押し当てることが困難な場所であっても容易に掃除することができる電気掃除機を提供する。【解決手段】集塵室１５と、この集塵室１５を負圧にする電動送風機１６と、集塵室１５に連通すると共に被清掃面に対向する吸込開口１２とが設けられた掃除機本体１１を備え、この掃除機本体１１を被清掃面上で移動操作する操作用スティック２０が掃除機本体１１に着脱自在に装着された電気掃除機１０であって、操作用スティック２０には、掃除機本体１１から外した際に操作用スティック２０の先端部２２に固定される毛ブラシ３０を設けた。【選択図】　　図１
2004024672.tif 000002
【特許請求の範囲】
【請求項１】
集塵室と、該集塵室を負圧にする電動送風機と、前記集塵室に連通すると共に被清掃面に対向する吸込開口とが設けられた掃除機本体を備え、該掃除機本体を前記被清掃面上で移動操作する操作用スティックが前記掃除機本体に着脱自在に装着された電気掃除機であって、
前記操作用スティックには、前記掃除機本体から外した際に前記操作用スティックの先端部に固定される毛ブラシが設けられていることを特徴とする電気掃除機。
【請求項２】
請求項１に記載の電気掃除機において、前記操作用スティックには前記掃除機本体に装着した際に該掃除機本体に係止する係止部が設けられていると共に、前記操作用スティックを前記掃除機本体から外した際に前記毛ブラシは前記係止部に固定可能に設けられていることを特徴とする電気掃除機。
【請求項３】
請求項１又は２に記載の電気掃除機において、前記毛ブラシは、前記操作用スティックの周面に沿って回動可能、且つ、長さ方向に移動可能に該操作用スティックに保持されていると共に、前記周面と相対的に回転させることによって前記操作用スティックの前記先端部に固定可能に設けられていることを特徴とする電気掃除機。
【発明の詳細な説明】
【０００１】
【発明の属する技術分野】
この発明は、集塵室と電動送風機と吸込開口とが設けられた掃除機本体に着脱自在に装着される操作用スティックを有する電気掃除機に関するものである。
【０００２】
【従来技術】
従来の電気掃除機１としては、図６に示すように、掃除機本体２に、集塵室３と、この集塵室３を負圧にする電動送風機４と、被清掃面に対向した吸込開口５を有する吸込室５ａと、吸込開口５に臨んで吸込室５ａ内に回転自在に保持された回転清掃体６とが設けられたものが知られている。この回転清掃体６は、電動送風機４内の図示しないモータに伝達ベルト４ａで連動するようになっている。
【０００３】
また、掃除機本体２には、この掃除機本体２を被清掃面上で移動操作するための操作用スティック７が着脱自在に設けられている。
【０００４】
この電気掃除機１は、図示しないスイッチを入れて電動送風機４を駆動させると回転清掃体６が連動して回転する。この状態で操作用スティック７を利用して掃除機本体２を被清掃面上で移動させ、回転清掃体６で掻き上げた塵埃を吸込開口５内に作用した吸込負圧で吸い込んで集塵室４内に捕集していく。
【０００５】
そして、この電気掃除機１は、軽量化を図るために比較的駆動力の小さいモータが搭載されているので、回転清掃体６の回転力や吸込室５ａ内に作用する吸込負圧が弱く、被清掃面に吸込開口５を直接押し当てる必要があった。しかし、集塵室３及び電動送風機４が掃除機本体２に設けられているので、掃除機本体２の小型化が難しく、部屋の隅や家具の下等の狭い場所に吸込開口５を直接押し当てることが困難であった。そのため、掃除をする前に、ホウキやブラシ等で部屋の隅等に蓄積した塵埃を掻き出してから掃除を行っていた。
【０００６】
【発明が解決しようとする課題】
このように、上述の電気掃除機１では、ホウキやブラシ等が必要であり、必要になる都度、操作用スティック７をホウキ等に持ち替えて掃除を行っていた。
【０００７】
また、掃除中に吸込開口５を押し当てることができない場所に塵埃を見つけた場合では、ホウキ等を取りに行かねばならず手間がかかっていた。
【０００８】
この発明は、上記問題に鑑みてなされたもので、掃除に手間がかからず、吸込開口を直接押し当てることが困難な場所であっても容易に掃除することができる電気掃除機を提供することを目的としている。
【０００９】
【課題を解決するための手段】
この発明は、掃除機本体に、集塵室と、この集塵室を負圧にする電動送風機と、集塵室に連通すると共に被清掃面に対向する吸込開口とを設けると共に、この掃除機本体を被清掃面上で移動操作する操作用スティックを着脱自在に装着し、この操作用スティックには、掃除機本体から外した際に先端部に固定される毛ブラシを設けたことを特徴としている。
【００１０】
この発明によれば、部屋の隅等の吸込開口を直接押し当てることが困難な場所を掃除する際に、操作用スティックを掃除機本体から外し、この操作用スティックの先端部に固定される毛ブラシで塵埃を掻き出すことができ、操作用スティックをホウキ等に持ち替えることなく、手間をかけずに掃除をすることが可能となる。
【００１１】
また、掃除中に塵埃を掻き出す必要が生じても、その都度ホウキ等を取りに行く必要がなくなり、容易に掃除を行うことができる。
【００１２】
【発明の実施の形態】
以下、図面に基づいてこの発明の実施の形態を説明する。
【００１３】
この発明の電気掃除機１０は、図１に示すような掃除機本体１１を備えている。この掃除機本体１１は、底面に開口した吸込開口１２を有する吸込室１３と、吸込開口１２に臨んで吸込室１３内に回転自在に設けられた回転清掃体１４と、吸込室１３に連通した集塵室１５と、集塵室１５に吸込負圧を作用させる電動送風機１６とが設けられている。
【００１４】
なお、電動送風機１６はモータ１６ａと、このモータ１６ａにより回転する電動ファン１６ｂとを有している。また、回転清掃体１４と電動送風機１６のモータ１６ａとは、伝達ベルト１７を介して連動するように連結されている。
【００１５】
そして、この掃除機本体１１の後部には、端部が開口した筒状の接続パイプ１８が設けられている。
【００１６】
この接続パイプ１８には、掃除機本体１１を被清掃面上で移動操作するための操作用スティック２０が挿脱自在に設けられている。また、接続パイプ１８の周面には後述する操作用スティック２０の係止突起２５が嵌合する本体係止孔１９が設けられている。
【００１７】
この操作用スティック２０は、図１に示すように、伸縮自在なスティック本体２１と、スティック本体２１の一方の端部に形成された先端部２２と、スティック本体２１の他方の端部に設けられた把持部２３とを備えている。
【００１８】
図２（ａ）に示すように、先端部２２は、外径が接続パイプ１８の内径よりも僅かに小さく形成され、端部が開口した円筒形状を呈している。周面２２ａには、端部に向かって開いたＵ字状のスリット２４が設けられている（図２（ｂ）参照）。そして、このスリット２４の内側の閉塞端近傍には、係止突起２５が設けられている。
【００１９】
なお、この先端部２２は、図３に示すように、スティック本体２１の一方の端部に形成されたネジ山によって、スティック本体２１に着脱自在に設けられている。
【００２０】
また、スティック本体２１の中間部には、図２（ａ）に示すように、毛ブラシ３０が挿通されている。この毛ブラシ３０は、先端部２２に向かって段階的に太くされ、且つ、両端が開口された円筒部３１と、この円筒部３１の先端に設けられたブラシ部３２とを備えている。
【００２１】
円筒部３１は、先端部２２の外径よりも小さい内径の細部３１ａと、先端部２２の外径よりも僅かに大きい内径の中間部３１ｂと、先端部２２の外径よりも十分に大きい内径の太部３１ｃとを備えている。そして、円筒部３１は、スティック本体２１の周面に回転自在にされると共に、このスティック本体２１の長さ方向に移動自在にされている。さらに、この円筒部３１の中間部３１ｂには、係止突起２５が嵌合するブラシ係止孔３３が設けられている。
【００２２】
ブラシ部３２は、太部３１ｃの開口端面に植毛により固定され、ナイロン等の化学繊維や馬毛等の天然毛等により形成されている。
【００２３】
次に、この電気掃除機１０の作用について説明する。
【００２４】
この電気掃除機１０で掃除をするには、まず、掃除機本体１１に設けられた接続パイプ１８と操作用スティック２０の先端部２２とを接続する。この先端部２２を接続パイプ１８内に挿入すると、係止突起２５が接続パイプ１８の開口端面１８ａ（図２（ａ）参照）で押され、スリット２４の内側が先端部２２の内部に向かって一時的に撓み、先端部２２が接続パイプ１８内に入る。
【００２５】
そして、図１に示すように、接続パイプ１８に設けられた本体係止孔１９の位置に係止突起２５を合わせると、スリット２４の内側の撓みが元に戻り、係合突起２５が本体係止部１９から突出して嵌合する。これにより、接続パイプ１８と操作用スティック２０とが固定される。
【００２６】
また、このとき、毛ブラシ３０は、接続パイプ１８の開口端面１８ａにブラシ部３２の自由端部が当接した状態になっている。
【００２７】
そして、図示しないスイッチを入れて、電動送風機１６のモータ１６ａを駆動させる。このとき、掃除機本体１１内に配設された図示しないバッテリー（蓄電池）の電力を利用する。
【００２８】
モータ１６ａが駆動すると、電動ファン１６ｂと、伝達ベルト１７を介して連結された回転清掃体１４とがそれぞれ回転する。そして、電動ファン１６ｂによって集塵室１５及び吸込室１３を介して吸込開口１２に吸込負圧が作用すると共に、回転清掃体１４によって吸込開口１２内に塵埃が掻き上げられる。これにより、吸込開口１２内に掻き上げられた塵埃は、吸込室１３を通って集塵室１５内に捕集される。
【００２９】
この状態で、操作用スティック２０の把持部２３を握って掃除機本体１１を被清掃面上で移動操作し、掃除を行う。
【００３０】
一方、部屋の隅や家具の下等の狭い場所を掃除する際には、まず、掃除機本体１１の接続パイプ１８と操作用スティック２０とを外す。このとき、本体係止孔１９から突出している係止突起２５を指で押し込んで、本体係止孔１９から係止突起２５を外す。これによりスリット２４の内側が先端部２２の内部に向かって一時的に撓み、先端部２２を接続パイプ１８から抜き外すことができる。
【００３１】
次に、毛ブラシ３０を先端部２２に向かって移動させ、先端部２２と毛ブラシ３０の円筒部３１とを接続する。毛ブラシ３０の内側に先端部２２を挿入すると、係止突起２５が円筒部３１の中間部３１ｂで押され、スリット２４の内側が先端部２２の内部に向かって一時的に撓んで、先端部２２が中間部３１ｂ内に入っていく。
【００３２】
そして、この毛ブラシ３０とスティック本体２１とを相対的に回転させながら、図３に示すように、中間部３１ｂに設けられたブラシ係止孔３３の位置に係止突起２５を合わせると、係合突起２５がブラシ係止孔３３から突出し、スリット２４の内側の撓みが元に戻って係合突起２５とブラシ係止孔３３とが嵌合する。これにより毛ブラシ３０と操作用スティック２０とが固定される。
【００３３】
この状態で、図４に示す把持部２３を握り、部屋の隅や家具の下等の狭い場所に蓄積した塵埃を毛ブラシ３０で十分に掻き出す。この毛ブラシ３０は掃除機本体１１よりも十分に小さいので、部屋の隅等の狭い場所であってもブラシ部３２を被清掃面に押し当てて、塵埃を掻き出すことができる。
【００３４】
なお、このとき、太部３１ｃは先端部２２の端部よりも操作用スティック２０の長さ方向に突出しており、ブラシ部３２を被清掃面に押し当てた際に、先端部２２が被清掃面にぶつかることが防止されている。
【００３５】
その後、ブラシ係止孔３３から突出している係止突起２５を指で押し込んで、ブラシ係止孔３３と係止突起２５とを外す。これによりスリット２４の内側が先端部２２の内部に向かって一時的に撓み、先端部２２を毛ブラシ３０から抜き外すことができる。そして、この毛ブラシ３０を把持部２３に向かって移動させ、先端部２２から外す。
【００３６】
最後に、操作用スティック２０の先端部２２と掃除機本体１１の接続パイプ１８とを再度接続し、この操作スティック２０で掃除機本体１１を移動操作しながら、毛ブラシ３０で掻き出した塵埃を吸込開口１２から集塵室１５内に捕集する。
【００３７】
このように、部屋の隅や家具の下等の狭い場所を掃除する際に、操作用スティック２０をホウキ等に持ち替えることなく、手間をかけずに掃除をすることが可能となる。
【００３８】
また、掃除中に塵埃を掻き出す必要が生じても、その都度ホウキ等を取りに行く必要がなくなり、容易に掃除を行うことができる。
【００３９】
以上、この発明の実施の形態の一つを図面により詳述してきたが、具体的な構成は上述の実施の形態に限らず、この発明の要旨を逸脱しない範囲の設計の変更等があってもこの発明に含まれる。
【００４０】
例えば、図５に示すように、掃除機本体（図示せず）に設けられた接続パイプ４０の内周面４０ａに本体ネジ溝４０ｂを形成し、操作用スティック２０´の先端部４１の外周面４１ａにネジ溝４１ｂを形成し、毛ブラシ３０´の円筒部３１´の中間部４２の内周面４２ａにブラシネジ溝４２ｂを形成してもよい。
【００４１】
そして、掃除機本体と操作用スティック２０´とを接続する場合には、まず、掃除機本体の接続パイプ４０内に操作用スティック２０´の先端部４１を挿入する。そして、操作用スティック２０´と掃除機本体とを相対的に回転させて、接続パイプ４０の内周面４０ａに形成された本体ネジ溝４０ｂと、先端部４１の外周面４１ａに形成されたネジ溝４１ｂとを螺合させて固定する。また、掃除機本体から操作用スティック２０´を外すときには、接続した場合と逆向きに掃除機本体と操作用スティック２０´とを相対的に回転させる。
【００４２】
一方、操作用スティック２０´と毛ブラシ３０´とを接続する場合には、まず、毛ブラシ３０´の円筒部３１´内に先端部４１を挿入する。そして、操作用スティック２０´と毛ブラシ３０´とを相対的に回転させて、円筒部３１´の中間部４２の内周面４２ａに形成されたブラシネジ溝４２ｂと、先端部４１の外周面４１ａに形成されたネジ溝４１ｂとを螺合させて固定する。また、操作用スティック２０´から毛ブラシ３０´を外すときには、接続した場合と逆向きに操作用スティック２０´と毛ブラシ３０´とを相対的に回転させる。
【００４３】
このように、掃除機本体と操作用スティック２０´とを相対的に回転させるだけで着脱できると共に、毛ブラシ３０´と操作用スティック２０´とを相対的に回転させるだけで着脱できるので、掃除中に毛ブラシ３０´が必要になった場合に、手間をかけずにすぐに使うことができる。また、上述の着脱時に位置決めをする必要がないので、非常に容易に着脱することが可能となる。
【００４４】
そして、掃除中に壁等にぶつかっても上述の実施形態にあるような係合突起が内側に押されることがないので、不意に毛ブラシ等が外れることはなく、使い勝手が向上する。
【００４５】
また、先端部の外周面に互いに反対側に突出する一対の突起を設けると共に、掃除機本体の接続パイプ部の内周面、及び、毛ブラシの円筒部の内周面に、先端が直角に折れ曲がった一対の係止溝がそれぞれ設けられてもよい。
【００４６】
そして、この場合では、係止溝内に突起を挿入していき、係止溝の屈折部分に突起が当接したら、掃除機本体と操作用スティック、又は、毛ブラシと操作用スティックをそれぞれ相対的に回転させてそれぞれ固定する。
【００４７】
さらに、毛ブラシの円筒部は操作用スティックの先端部に向かって段階的に太くされているが、毛ブラシを使用する際に、この先端部が毛ブラシの内側に内在すればよく、段階的に太くされていなくともよい。
【００４８】
【発明の効果】
この発明によれば、掃除に手間がかからず、吸込開口を直接押し当てることが困難な場所であっても容易に掃除することができる電気掃除機を提供することができる。
【図面の簡単な説明】
【図１】この発明にかかる電気掃除機の全体斜視図である。
【図２】（ａ）この発明にかかる電気掃除機の要部拡大斜視図である。
（ｂ）図２（ａ）におけるＡの拡大正面図である。
【図３】操作用スティックの先端部に毛ブラシを固定した際の断面図である。
【図４】操作用スティックの先端部に毛ブラシを固定した際の斜視図である。
【図５】この発明の他の実施例にかかる電気掃除機の要部拡大破断側面図である。
【図６】従来の電気掃除機を模式的に示した説明図である。
【符号の説明】
１０　　　　電気掃除機
１１　　　　掃除機本体
１２　　　　吸込開口
１５　　　　集塵室
１６　　　　電動送風機
２０　　　　操作用スティック
２２　　　　先端部
３０　　　　毛ブラシ
【図１】
2004024672.tif 000003
【図２】
2004024672.tif 000004
【図３】
2004024672.tif 000005
【図４】
2004024672.tif 000006
【図５】
2004024672.tif 000007
【図６】
2004024672.tif 000008